【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
患者への薬物の投与を利用して薬物処置を管理するためのシステムであって、
前記システムによってアクセスされる複数の異なる情報システム上に記憶された異なる情報のフィールド間の関係を記憶するデータベース構成であって、１つ以上の情報のフィールドは、患者識別子、患者特性、処置投薬計画、再調剤履歴、自己負担金情報、医師情報、取引日、保険／医療制度情報、場所情報、地理的情報、症状報告、患者または医師通信、または任意のそれらの組み合わせのいずれかを含む、データベース構成と、
その上に前記関係データベースがある１つ以上のサーバと、
を備え、前記システムはさらに、メモリ上に記録された命令を有する処理ユニットを備え、前記命令は、
前記１つ以上の情報のフィールドのいずれか、または任意のそれらの組み合わせにアクセスし、所望の結果に関連させ、
前記情報のフィールドのうちの１つ以上と所望の結果との間の関係に基づいて、介入を決定し、
介入アラートを１つ以上の電子デバイスに出力することによって、前記介入を課し、前記所望の結果を促進するように構成される、システム。
【請求項２】
処理ユニットおよび前記データベース構成と通信可能に結合されるユーザインターフェースをさらに備え、前記ユーザインターフェースは、情報のフィールドの入力および／または前記介入アラートの出力を促進するように構成される、請求項１に記載のシステム。
【請求項３】
前記処理ユニットは、前記情報のフィールドと受信された結果を関連付けることによって、前記１つ以上の情報のフィールドまたは任意のそれらの組み合わせと前記所望の結果との間の関係を決定するように構成される、請求項１に記載のシステム。
【請求項４】
前記処理ユニットは、関係アルゴリズム入力を前記システムに適用することによって、前記１つ以上の情報のフィールドまたは任意のそれらの組み合わせと前記所望の結果を関連付けるように構成される、請求項１に記載のシステム。
【請求項５】
前記処理ユニットはさらに、１つ以上のタイプの介入を選択し、決定される介入タイプに基づいて、前記１つ以上の電子デバイスを複数の電子デバイスから選択するように構成される、請求項１に記載のシステム。
【請求項６】
前記１つ以上の電子デバイスは、コンピュータ、パーソナル電子デバイス、スマートフォン、可視または可聴インジケータのいずれかを含む、請求項１に記載のシステム。
【請求項７】
前記介入アラートは、電子メール、テキスト、可聴または可視インジケータ、または任意のそれらの組み合わせのいずれかを含む、請求項１に記載のシステム。
【請求項８】
前記処理ユニットは、前記１つ以上の情報のフィールド、および／または、前記情報のフィールドに関連する前記関係データベースを動的にアップデートするように構成される、請求項１に記載のシステム。
【請求項９】
前記薬物は、ステロイドを含む、および／またはホルモン処置に関する、請求項１に記載のシステム。
【請求項１０】
前記薬物は、ミフェプリストンを含む、請求項２に記載のシステム。
【手続補正２】
【補正対象書類名】明細書
【補正対象項目名】０００５
【補正方法】変更
【補正の内容】
【０００５】
（発明の要旨）
本発明は、概して、医薬品または他の処置用化合物の投与を利用した処置に関する。特に、本発明は、介入の好適性を識別し、個人またはエンティティに介入を課し、患者コンプライアンス、処置結果、または他の所望の結果を改善することによって、そのような処置を管理する方法に関する。
本発明は、例えば、以下を提供する。
（項目１）
薬物プロトコルを、関係データベースを有し、そして１つ以上の電子デバイスに結合されるシステムとともに用いる処置方法であって、
前記システムによってアクセス可能な複数の異なる情報システムから１つ以上の情報のフィールドにアクセスするステップであって、前記複数の情報のフィールドは、患者識別子、患者特性、処置投薬計画、再調剤履歴、自己負担金情報、医師情報、取引日、保険／医療制度情報、場所情報、地理的情報、症状報告、患者または医師通信、または任意のそれらの組み合わせのいずれかを含む、ステップと、
前記システムを用いて、前記情報のフィールドのうちの１つ以上と所望の結果との間の関係に基づいて介入を決定し、前記介入に対処するための複数のタスクを決定するステップと、
前記１つ以上の電子デバイスを用いて、介入アラートまたは情報通信を１つ以上の異なるエンティティに出力することにより、前記複数のタスクを実施および／または課することによって、前記介入を課し、前記所望の結果を促進するステップと、
を含む、方法。
（項目２）
前記複数のタスクは、前記システムによって、特定のシーケンスおよび／またはタイミングに従って実施されるように決定される、項目１に記載の方法。
（項目３）
前記介入を課するステップは、前記特定のシーケンスおよび／またはタイミングに従って、前記複数のタスクを異なるエンティティに課することを含む、項目２に記載の方法。
（項目４）
前記介入を課するステップは、複数のタスクのうちの第２のタスクを課する前に、複数のタスクのうちの第１のタスクに関する情報および／または確認を受信することによって、前記タスクの実施を協調させることを含む、項目１に記載の方法。
（項目５）
前記介入は、前記複数のタスクの１つ以上のタスクにおいて、前記システムによって受信された情報に基づいて前記システムによって決定される処置の変化に対応する、項目１に記載の方法。
（項目６）
前記複数の異なる情報システムは、薬局情報システムを含み、前記複数のタスクのうちの第１のタスクは、経過観察の血液検診を含み、前記介入は、前記第１のタスクに関する情報が前記システムによって受信されるまで、通信を前記薬局情報システムに出力することによって、前記システムによって前記処置と関連付けられた薬物の処方を保留することを含む、項目１に記載の方法。
（項目７）
前記処方に関する保留は、受信された前記第１のタスクに関する情報に基づいて、前記システムによって除去され、前記情報は、前記患者の経過観察の検査結果に対応する、項目６に記載の方法。
（項目８）
前記薬物は、グルココルチコイド受容体アンタゴニストを含む、項目６に記載の方法。
（項目９）
前記介入を課するステップは、前記介入を実施するための個人、位置、またはコンピュータデバイスを識別することを含む、項目１に記載の方法。
（項目１０）
前記所望の結果は、患者コンプライアンス、処置有効性、患者結果、規制プロセス、およびビジネスまたは管理プロセス、または任意のそれらの組み合わせのいずれかと関連付けられる、項目１に記載の方法。
（項目１１）
前記介入アラートの出力を受信する前記１つ以上のコンピュータに結合されデバイスは、電話、モバイルパーソナルデバイス、ユーザインターフェース端末、または任意のそれらの組み合わせを含む、項目１に記載の方法。
（項目１２）
前記アラートの出力は、電子通信、インジケータ、またはそれらの組み合わせを含む、項目１に記載の方法。
（項目１３）
前記介入は、前記１つ以上のコンピュータに結合されたデバイスによって実施される自動化されたタスクを含む、項目１に記載の方法。
（項目１４）
前記介入アラートは、前記患者または患者支援者と関連付けられた１つ以上のコンピュータに結合されたデバイスに出力される、項目１に記載の方法。
（項目１５）
前記介入アラートは、主治医、医療施設、医療管理者、保険会社、または任意のそれらの組み合わせと関連付けられた１つ以上のコンピュータに結合されたデバイスに出力される、項目１に記載の方法。
（項目１６）
前記介入アラートを出力するステップは、前記介入アラートの意図される受信者を識別すること、およびタスクを前記意図される受信者に割り当てることを含む、項目１に記載の方法。
（項目１７）
前記意図される受信者は、薬剤師であって、前記割り当てられたタスクは、前記患者の医師と接触することを含み、前記処置投薬計画を評価／管理／アップデートすることを含む、項目９に記載の方法。
（項目１８）
前記意図される受信者は、製造業者の代表者を含み、前記タスクは、前記医師と接触することを含み、前記薬物プロトコルまたは処置投薬計画に関連する情報について議論することを含む、項目９に記載の方法。
（項目１９）
前記意図される受信者は、前記患者特異的プログラムと関連付けられた第三者であって、前記タスクは、前記患者と接触することを含み、前記処置投薬計画を議論／管理するステップを含む、項目９に記載の方法。
（項目２０）
前記意図される受信者は、自動化されたシステムであって、前記タスクは、前記処置投薬計画に関連する前記医師または患者への通信を生成することを含む、項目９に記載の方法。
（項目２１）
前記薬物プロトコルは、ステロイドおよび／またはホルモン処置に関する、項目１に記載の方法。
（項目２２）
前記薬物プロトコルは、ミフェプリストンの投与を含む、項目１に記載の方法。
（項目２３）
患者への薬物の投与を利用して薬物処置を管理するためのシステムであって、
前記システムによってアクセスされる複数の異なる情報システム上に記憶された異なる情報のフィールド間の関係を記憶するデータベース構成であって、１つ以上の情報のフィールドは、患者識別子、患者特性、処置投薬計画、再調剤履歴、自己負担金情報、医師情報、取引日、保険／医療制度情報、場所情報、地理的情報、症状報告、患者または医師通信、または任意のそれらの組み合わせのいずれかを含む、データベース構成と、
その上に前記関係データベースがある１つ以上のサーバと、
を備え、前記システムはさらに、メモリ上に記録された命令を有する処理ユニットを備え、前記命令は、
前記１つ以上の情報のフィールドのいずれか、または任意のそれらの組み合わせにアクセスし、所望の結果に関連させ、
前記情報のフィールドのうちの１つ以上と所望の結果との間の関係に基づいて、介入を決定し、
介入アラートを１つ以上の電子デバイスに出力することによって、前記介入を課し、前記所望の結果を促進するように構成される、システム。
（項目２４）
処理ユニットおよび前記データベース構成と通信可能に結合されるユーザインターフェースをさらに備え、前記ユーザインターフェースは、情報のフィールドの入力および／または前記介入アラートの出力を促進するように構成される、項目１６に記載のシステム。
（項目２５）
処理ユニットが、前記情報のフィールドと受信された結果を関連付けることによって、前記１つ以上の情報のフィールドまたは任意のそれらの組み合わせと前記所望の結果との間の関係を決定するように構成される、項目１６に記載のシステム。
（項目２６）
処理ユニットが、関係アルゴリズム入力を前記システムに適用することによって、前記１つ以上の情報のフィールドまたは任意のそれらの組み合わせと前記所望の結果を関連付けるように構成される、項目１６に記載のシステム。
（項目２７）
前記処理ユニットはさらに、１つ以上のタイプの介入を選択し、決定される介入タイプに基づいて、前記１つ以上の電子デバイスを複数の電子デバイスから選択するように構成される、項目１６に記載のシステム。
（項目２８）
前記１つ以上の電子デバイスは、コンピュータ、パーソナル電子デバイス、スマートフォン、可視または可聴インジケータのいずれかを含む、項目１６に記載のシステム。
（項目２９）
前記介入アラートは、電子メール、テキスト、可聴または可視インジケータ、または任意のそれらの組み合わせのいずれかを含む、項目１６に記載のシステム。
（項目３０）
処理ユニットが、前記１つ以上の情報のフィールドおよび／または前記情報のフィールドに関連する関係データベースを動的にアップデートするように構成される、項目１６に記載のシステム。
（項目３１）
前記薬物は、ステロイドを含む、および／またはルモン処置に関する、項目１６に記載のシステム。
（項目３２）
前記薬物は、ミフェプリストンを含む、項目２４に記載のシステム。
（項目３３）
関係データベースを有する情報システムを使用して薬物処置を管理する方法であって、
その上に複数の情報のフィールドが記憶された複数の異なる情報システムから、患者または処置に関連する複数の情報のフィールドにアクセスするステップと、
前記システムの関係データベースを使用して、前記複数の情報のフィールドを関連付けるステップであって、前記複数の情報のフィールドの関係に基づいて、介入を決定し、所望の結果を促進するステップと、
前記システムを用いて、前記介入と関連付けられた複数のタスクを決定するステップと、
特定のシーケンスおよび／またはタイミングに従って、前記複数のタスクを、複数の異なるエンティティに実施および／または課するステップと、を含む、方法。
（項目３４）
前記薬物処置は、グルココルチコイド受容体を含む、項目３３に記載の方法。